(57)【要約】【課題】光ファイバの先端に光コネクタを取り付ける作業に用いられる光コネクタ用工具において、作業効率の向上のために、屋外作業等においても、光ファイバの固定状態を確実に維持できる治具の開発が求められていた。【解決手段】ファイバ収納溝１３１が全長にわたって形成された棒状の治具本体１３０に沿ってスライド移動可能に設けたスライダ１５０を、治具本体１３０の拡幅部分である弾性変形可能な変形開閉部１３６に挿脱することで、変形開閉部１３６のファイバ収納溝１３１が開閉されて、閉じたときにファイバ収納溝１３１内の光ファイバ４を固定できる光ファイバ用治具１２０を採用した光コネクタ用工具１００を提供する。【選択図】図１
2007156331.tif 000002
【特許請求の範囲】
【請求項１】
光コネクタに該光コネクタの後端側から光ファイバを挿入して、前記光コネクタのフェルールに内挿固定された内部光ファイバの後端に突き合わせ接続し、前記光ファイバの先端に前記光コネクタを取り付けるための光コネクタ用工具であって、
光コネクタを着脱自在に保持する光コネクタ保持部を有する工具本体と、前記光コネクタに挿入する光ファイバを保持して、前記工具本体に着脱可能に装着される光ファイバ用治具とを具備し、
前記光ファイバ用治具は、
前記光ファイバを収納するファイバ収納溝が全長にわたって形成された棒状の治具本体と、
前記ファイバ収納溝から治具本体先端側に延出する前記光ファイバを、前記治具本体の先端に設けられたヘッド部と該ヘッド部に枢着された開閉自在の蓋との間に挟み込むファイバ押さえ部と、
前記治具本体を収納する凹形あるいはリング状に形成され、前記治具本体の外側に該治具本体の長手方向に沿って移動自在に装着されたスライダとを具備し、
前記治具本体は、前記ファイバ収納溝の両側の側壁部が側圧によって前記ファイバ収納溝の溝幅を狭めるように弾性変形可能になっている変形開閉部を有し、
前記変形開閉部は、前記ファイバ収納溝の両側あるいは片側の側壁部に外側に膨出する膨出部を有しており、前記治具本体に沿って移動する前記スライダの該変形開閉部に対する挿脱によって開閉され、閉じられたときに前記ファイバ収納溝内の光ファイバを挟み込んで固定できるようになっていることを特徴とする光コネクタ用工具。
【請求項２】
前記変形開閉部の前記膨出部は、前記治具本体の長手方向一端側から他端側に行くほど前記側壁部外側への突出寸法が大きくなるように形成されたテーパ部を有することを特徴とする請求項１記載の光コネクタ用工具。
【請求項３】
前記変形開閉部が、一対の側壁部を連結する底壁に、前記治具本体の長手方向に沿って形成されたスリットによって２分割されていることを特徴とする請求項１又は２記載の光コネクタ用工具。
【請求項４】
前記治具本体の前記変形開閉部を介して長手方向両側に、前記スライダが当接される移動規制用のスライダストッパが設けられ、
一方又は両方のスライダストッパと前記変形開閉部との間に、治具本体に沿った移動によって前記変形開閉部から抜き出した前記スライダが設置されるスライダ待機領域が確保されていることを特徴とする請求項１〜３のいずれかに記載の光コネクタ用工具。
【請求項５】
前記ファイバ押さえ部のヘッド部に、前記工具本体から離脱させた光ファイバ用治具を光ファイバ加工機器の治具載せ台に載せる際に、前記治具載せ台の位置決め突起に挿入して位置決めするための位置決め凹所が形成されていることを特徴とする請求項１〜４のいずれかに記載の光コネクタ用工具。
【請求項６】
前記光コネクタ保持部に保持された光コネクタに光ファイバを挿入した前記光ファイバ用治具を、前記光コネクタの内部光ファイバに突き合わせられた前記光ファイバに撓みを確保できる位置に保持するための治具保持手段が前記工具本体に設けられていることを特徴とする請求項１〜５のいずれかに記載の光コネクタ用工具。
【請求項７】
前記治具保持手段が、前記光ファイバ用治具に係脱可能に係合するラッチであることを特徴とする請求項６記載の光コネクタ用工具。
【請求項８】
前記工具本体は、前記光ファイバ用治具が載せられて前記光コネクタ保持部に対して進退動する上面に、前記光ファイバ用治具に保持された光ファイバの前記ファイバ押さえ部からの突出長を確認するための確認用表示が設けられていることを特徴とする請求項１〜７のいずれかに記載の光コネクタ用工具。
【請求項９】
光ファイバ用治具の前記ファイバ押さえ部のヘッド部は、前記治具本体から両側に張り出すプレート状に形成されており、
前記工具本体には、前記光ファイバ用治具に保持された光ファイバの前記ファイバ押さえ部からの突出長を前記確認用表示によって確認する際に、前記ヘッド部の後端面を押し当てて光ファイバ用治具を位置決めするための確認用治具当接部が設けられていることを特徴とする請求項８記載の光コネクタ用工具。
【請求項１０】
前記工具本体上に、前記光ファイバ用治具の治具本体を収納する治具本体収納溝が形成された治具支持壁が突設され、前記治具支持壁によって、前記光ファイバ用治具が、光コネクタ保持部に保持された光コネクタに対して進退動可能として支持されることを特徴とする請求項１〜９のいずれかに記載の光コネクタ用工具。
【発明の詳細な説明】
【技術分野】
【０００１】
本発明は、光ファイバの先端に光コネクタを取り付けるための光コネクタ用工具に関する。
【背景技術】
【０００２】
光ファイバの先端に、簡単に取り付けることができる光コネクタとして、例えば特許文献１のような、いわゆる現場付け光コネクタと呼ばれるものがある。
この光コネクタは、予め光ファイバ（以下、内部光ファイバとも言う）が内挿固定されたフェルールの後端側（コネクタ接続用の接合端面とは反対の側）に、前記内部光ファイバのフェルール後端から突出した後端と、光コネクタに後端側から挿入して前記内部光ファイバ後端に突き合わせた光ファイバ（以下、挿入光ファイバとも言う）とを、Ｃ形あるいはコ字形のバネの内側に収納された二つ割り構造の素子間に挟み込んで、光ファイバ同士の突き合わせ接続状態を維持するクランプ部を備えている。
【０００３】
この光コネクタを光ファイバの先端に取り付ける作業では、二つ割りの素子間に挿入光ファイバを挿入するために、一対の素子間に挿入光ファイバを挿入できる程度の隙間が確保されている必要がある。
このため、従来、楔状の介挿部材を光コネクタの側部の楔挿入孔からクランプ部の一対の素子間に割り込ませて、素子間を開放する専用の工具（光コネクタ用工具）も提供されている（例えば特許文献２）。
この光コネクタ用工具としては、光コネクタを着脱自在に保持する光コネクタ保持部と、この光コネクタに挿入する光ファイバ（挿入光ファイバ）を保持したファイバホルダが載せられるホルダ載せ台と、介挿部材を支持して光コネクタ保持部に保持された光コネクタ対して進退動させる介挿部材移動機構とを具備した構成が一般的である。そして、この工具では、介挿部材の圧入によって一対の素子間を開放した状態で、ホルダ載せ台上のファイバホルダを光コネクタに接近するようにスライド移動させることで、ファイバホルダに保持された挿入光ファイバの先端を光コネクタに挿入して、クランプ部の一対の素子間にて、内部光ファイバの後端に突き合わせ接続できる。
【０００４】
ファイバホルダとしては、例えば、前記特許文献２にも記載のように、ホルダ載せ台に載置される細長プレート状のベースと、このベースの長手方向の２箇所に枢着された開閉自在の蓋板とを具備し、ベース上に形成された位置決め溝に収納した挿入光ファイバを２つの蓋板でベースに押さえ込んで固定するようになっている。
【０００５】
挿入光ファイバとしては、光ファイバ心線等の被覆光ファイバが用いられる。
ファイバホルダは、光ファイバの被覆材を除去するストリッパーや、光ファイバの切断を行なうファイバカッタといった光ファイバ加工機器（例えば、特許文献３参照）における光ファイバの加工にも用いられる。すなわち、ストリッパー、ファイバカッタといった光ファイバ加工機器に、ファイバホルダを着脱可能に装着できるホルダ載せ台を設けておき、ファイバホルダを、挿入光ファイバを保持したまま、各光ファイバ加工機器のホルダ載せ台に移設して、光ファイバの加工（被覆除去、切断等）を行う。そして、光コネクタ用工具のホルダ載せ台上にファイバホルダを載せるときには、挿入光ファイバの先端部に裸光ファイバが口出しされている。
【特許文献１】特開２００５−０９９７０６号公報
【特許文献２】特開２０００−０５６１７５号公報
【特許文献３】特開２０００−１９３８３１号公報
【発明の開示】
【発明が解決しようとする課題】
【０００６】
しかしながら、上述のような光コネクタ用工具を用いて、光ファイバの先端に光コネクタを取り付ける作業では、ファイバホルダに光ファイバ（挿入光ファイバ）を固定する作業に手間が掛かる場合がある。例えば、電柱上での高所作業等の足場の悪い場所での作業では、ファイバホルダの位置決め溝に挿入光ファイバを載せる作業に手間が掛かったり、位置決め溝に載せた挿入光ファイバが、蓋板を閉じてベースとの間に挟み込むまでに、風や振動等によって位置決め溝から離脱してしまう、といったこともある。
また、挿入光ファイバをファイバホルダに固定した後、ファイバホルダの蓋板に不用意に触れたり、ファイバホルダを落としてしまうと、光ファイバの固定位置がずれてしまうことがある。このため、作業中に、ファイバホルダの扱いに留意する必要があり、作業性に影響するといった不満があった。
【０００７】
本発明は、上記事情を鑑み、光コネクタに挿入する光ファイバを保持する光ファイバ用治具への光ファイバの固定を簡単、かつ、確実に行うことができ、しかも、作業中に、光ファイバ用治具における光ファイバの固定状態を確実に維持することができ、光ファイバの先端に光コネクタを取り付ける作業の作業能率を向上できる光コネクタ用工具を提供することを目的とする。
【課題を解決するための手段】
【０００８】
上記課題を解決するために、本発明では以下の構成を提供する。
請求項１に係る発明は、光コネクタに該光コネクタの後端側から光ファイバを挿入して、前記光コネクタのフェルールに内挿固定された内部光ファイバの後端に突き合わせ接続し、前記光ファイバの先端に前記光コネクタを取り付けるための光コネクタ用工具であって、光コネクタを着脱自在に保持する光コネクタ保持部を有する工具本体と、この工具本体に着脱可能であり、前記光コネクタに挿入する光ファイバを保持した状態で、前記工具本体に設けられている案内部によって案内されて、前記光コネクタ保持部に保持された光コネクタに対して進退動する光ファイバ用治具とを具備し、前記光ファイバ用治具は、前記光ファイバを収納するファイバ収納溝が全長にわたって形成された棒状の治具本体と、前記ファイバ収納溝から治具本体先端側に延出する前記光ファイバを、前記治具本体の先端に設けられたヘッド部と該ヘッド部に枢着された開閉自在の蓋との間に挟み込むファイバ押さえ部と、前記治具本体を収納する凹形あるいはリング状に形成され、前記治具本体の外側に該治具本体の長手方向に沿って移動自在に装着されたスライダとを具備し、前記治具本体は、前記ファイバ収納溝の両側の側壁部が側圧によって前記ファイバ収納溝の溝幅を狭めるように弾性変形可能になっている変形開閉部を有し、前記変形開閉部は、前記ファイバ収納溝の両側あるいは片側の側壁部に外側に膨出する膨出部を有しており、前記治具本体に沿って移動する前記スライダの該変形開閉部に対する挿脱によって開閉され、閉じられたときに前記ファイバ収納溝内の光ファイバを挟み込んで固定できるようになっていることを特徴とする光コネクタ用工具を提供する。
請求項２に係る発明は、前記変形開閉部の前記膨出部は、前記治具本体の長手方向一端側から他端側に行くほど前記側壁部外側への突出寸法が大きくなるように形成されたテーパ部を有することを特徴とする請求項１記載の光コネクタ用工具を提供する。
請求項３に係る発明は、前記変形開閉部が、一対の側壁部を連結する底壁に、前記治具本体の長手方向に沿って形成されたスリットによって２分割されていることを特徴とする請求項１又は２記載の光コネクタ用工具を提供する。
請求項４に係る発明は、前記治具本体の前記変形開閉部を介して長手方向両側に、前記スライダが当接される移動規制用のスライダストッパが設けられ、一方又は両方のスライダストッパと前記変形開閉部との間に、治具本体に沿った移動によって前記変形開閉部から抜き出した前記スライダが設置されるスライダ待機領域が確保されていることを特徴とする請求項１〜３のいずれかに記載の光コネクタ用工具を提供する。
請求項５に係る発明は、前記ファイバ押さえ部のヘッド部に、前記工具本体から離脱させた光ファイバ用治具を光ファイバ加工機器の治具載せ台に載せる際に、前記治具載せ台の位置決め突起に挿入して位置決めするための位置決め凹所が形成されていることを特徴とする請求項１〜４のいずれかに記載の光コネクタ用工具を提供する。
請求項６に係る発明は、前記光コネクタ保持部に保持された光コネクタに光ファイバを挿入した前記光ファイバ用治具を、前記光コネクタの内部光ファイバに突き合わせられた前記光ファイバに撓みを確保できる位置に保持するための治具保持手段が前記工具本体に設けられていることを特徴とする請求項１〜５のいずれかに記載の光コネクタ用工具を提供する。
請求項７に係る発明は、前記治具保持手段が、前記光ファイバ用治具に係脱可能に係合するラッチであることを特徴とする請求項６記載の光コネクタ用工具を提供する。
請求項８に係る発明は、前記工具本体は、前記光ファイバ用治具が載せられて前記光コネクタ保持部に対して進退動する上面に、前記光ファイバ用治具に保持された光ファイバの前記ファイバ押さえ部からの突出長を確認するための確認用表示が設けられていることを特徴とする請求項１〜７のいずれかに記載の光コネクタ用工具を提供する。
請求項９に係る発明は、光ファイバ用治具の前記ファイバ押さえ部のヘッド部は、前記治具本体から両側に張り出すプレート状に形成されており、前記工具本体には、前記光ファイバ用治具に保持された光ファイバの前記ファイバ押さえ部からの突出長を前記確認用表示によって確認する際に、前記ヘッド部の後端面を押し当てて光ファイバ用治具を位置決めするための確認用治具当接部が設けられていることを特徴とする請求項８記載の光コネクタ用工具を提供する。
請求項１０に係る発明は、前記工具本体上に、前記光ファイバ用治具の治具本体を収納する治具本体収納溝が形成された治具支持壁が突設され、前記治具支持壁によって、前記光ファイバ用治具が、光コネクタ保持部に保持された光コネクタに対して進退動可能として支持されることを特徴とする請求項１〜９のいずれかに記載の光コネクタ用工具を提供する。
【発明の効果】
【０００９】
本発明によれば、光ファイバ用治具のファイバ収納溝に光ファイバを収納した後、スライダを操作して治具本体の変形開閉部を閉じることで、光ファイバ用治具に光ファイバを確実に固定できる。スライダによって変形開閉部を閉じた状態では、スライダは変形開閉部の外側に嵌り込んで圧入状態になっており、スライダは強制的に移動させない限り、変形開閉部から離脱しない。つまり、作業者がスライダに触れたりして、スライダが不用意に移動してしまう、といったことは生じにくく、光ファイバ用治具における光ファイバの固定状態を確実に維持できる。
また、光ファイバ用治具を落としてしまっても、スライダが変形開閉部から離脱しない限り変形開閉部が開放されないため、光ファイバ用治具における光ファイバの固定状態を確実に維持できる。
また、本発明に係る光コネクタ用工具の光ファイバ用治具は、棒状の治具本体のファイバ収納溝に光ファイバを収納する構造であり、小型化、軽量化が容易である。軽量化によって、光ファイバを固定した光ファイバ用治具を落としてしまっても、光ファイバを傷めにくい、といった効果も得られる。
【発明を実施するための最良の形態】
【００１０】
以下、本発明の実施形態の光コネクタ用工具について、図面を参照して説明する。
図中、符号１は工具付き光コネクタ、１００は光コネクタ用工具である。
図１は本発明に係る光コネクタ用工具１００を示す全体斜視図、図２は光コネクタ用工具１００の工具本体１１０を示す図であって、（ａ）は光コネクタ保持部１１２側から見た斜視図、（ｂ）は治具支持壁１１３側から見た斜視図、図３は前記工具本体１１０を示す平面図、図４は光コネクタ用工具１００の光ファイバ用治具１２０を示す図であって、（ａ）は上側から見た斜視図、（ｂ）は下側から見た斜視図である。
【００１１】
（介挿部材付き光コネクタ）
まず、介挿部材付き光コネクタ１について説明する。
図１に示すように、介挿部材付き光コネクタ１は、光コネクタプラグである光コネクタ３の外側に介挿部材ユニット２を装着した構成のものである。
図１２〜図１４に示すように、光コネクタ３は、フェルール３１の後端側（接合端面３１ａとは反対の側）にクランプ部３２（後述）が組み立てられているクランプ部付きフェルール３７をハウジング３３内に収納したものである。
但し、ここで採用可能な光コネクタとしては、フェルールの後端にクランプ部が組み立てられてなるクランプ部付きフェルールをハウジングに収納したものであれば良く、ハウジング構造などは図示例のものに限定されず、例えば、所謂ＳＣ２形光コネクタ等、単心あるいは多心の各種の光コネクタも採用可能である。
なお、ＳＣ２形光コネクタとは、ＳＣ形光コネクタ（ＳＣ:Single fiber Coupling optical fiber connector。ＪＩＳ  Ｃ  ５９７３に制定されるＦ０４形光コネクタ（光コネクタプラグ）など）から、該ＳＣ形光コネクタのハウジングの外側に装着されるつまみを省略したものである。
【００１２】
図１２、図１３、図１４は光コネクタ３の構造を示す図であり、図１２は全体斜視図、図１３は分解斜視図、図１４は断面図である。図示例において、この光コネクタ３は、フェルール３１と、このフェルール３１の接合端面（符号３１ａ。先端面）に対向する後端側に配置されたクランプ部３２と、フェルール３１を収納するようにしてその外側にフェルール３１の軸回りの回転を規制して装着されるスリーブ状のハウジング３３と、ハウジング３３の後端（図１４右側）に係合して取付けられ、前記クランプ部３２を収容するストップリング３４と、このストップリング３４内に内装されたスペーサ３５とを備えている。
【００１３】
ハウジング３３の両側部には、ラッチ３９が形成されている。
なお、図１３中、符号３４ａ、３４ｂは、介挿部材ユニット２の介挿部材２１（図１、図１０等参照）を差し込む差込口を示す。符号３６は、ストップリング３４の後端に装着されるブーツを示す。但し、ブーツ３６は、光コネクタ３の後端側（図１４右側）からクランプ部３２に光ファイバ４を挿入する際に、光ファイバ４に予め通しておき、クランプ部３２への光ファイバ４の挿入完了後にストップリング３４に装着される。
【００１４】
クランプ部３２は、フェルール３１のフランジ部３１ｂから光コネクタ３の後端側へ向かって延びる延出部３１ｃに複数の部材を組み付けた構成になっている。以下、クランプ部３２が組み立てられているフェルール３１を、「クランプ部付きフェルール３７」と称して説明する場合がある。
クランプ部付きフェルール３７のクランプ部３２は、スリーブ状のストップリング３４の軸方向に移動自在としてストップリング３４に収納されている。
スペーサ３５は、ストップリング３４の後端部に反力を取ってクランプ部３２を光コネクタ３の先端側（図１４左側）に押圧することで、クランプ部付きフェルール３７全体を光コネクタ３先端側に付勢するスプリングであってもよい。このスペーサ３５は、例えば、光コネクタ３を光コネクタアダプタ等に挿入して別の光コネクタと接続する時に、フェルール３１に、接続の相手側の光コネクタとの間の突き合わせ力を与える機能を果たす。
なお、クランプ部付きフェルール３７は、フェルール３１のフランジ部３１ｂが、ハウジング３３内に突設されているストッパ部３３ａに当接することで、ストップリング３４に対する光コネクタ３先端側へのそれ以上の移動（ストップリング３４に対する相対的な移動）が規制される。
【００１５】
図１５は、クランプ部付きフェルール３７を示す斜視図、図１６は、クランプ部付きフェルール３７のクランプ部３２を構成する２つの蓋側素子３２１ａ、３２１ｂ、及び、ベース側素子（延出部３１ｃ）の、合わせ面を示す図である。
図１４〜図１６に示すように、クランプ部３２は、フェルール３１のフランジ部３１ｂから延びる延出部３１ｃと、この延出部３１ｃの合わせ面３２４ａ上に配置された蓋側素子３２１ａ、３２１ｂとを、断面Ｃ形のスリーブ状のバネ３２２（Ｃ形バネ）の内側に収容した構造になっている。延出部３１ｃは、クランプ部３２を構成する半割りの素子の一方（以下、素子３１ｃと称する場合もある）、二つの蓋側素子３２１ａ、３２１ｂは、クランプ部３２を構成する半割りの素子の他方（素子３２１）を構成している。クランプ部３２は、一対の半割り素子３１ａ、３２１の間で、光ファイバをクランプする構造になっている。二つの蓋側素子３２１ａ、３２１ｂは、一方（素子３２１ａ）が他方（素子３２１ｂ）よりもフェルール３１側となるようにして、光コネクタ３の前後方向（図１４左右）に配列されている。バネ３２２は、該バネ３２２の軸方向中央部に形成されたスリット３２２ａによって２分されている。前記スリット３２２ａは、二つの蓋側素子３２１ａ、３２１ｂの間の境界付近に位置合わせされているため、バネ３２２のスリット３２２ａを介して軸方向両側の各部分は、該バネ３２２の弾性を二つの蓋側素子３２１ａ、３２１ｂに別個に作用させる独立したバネとして機能するようになっている。然るに、一方の蓋側素子３２１ａと延出部３１ｃの組、他方の蓋側素子３２１ｂと延出部３１ｃの組は、それぞれ、独立のクランプ部としても機能し得る。
なお、バネ３２２の形状は、断面コ字形のものなど、各種採用可能である。
【００１６】
フェルール３１には、光ファイバ３８（ここでは裸光ファイバ。以下、内部光ファイバとも言う）が内挿固定されている。この内部光ファイバ３８は、フェルール３１後端から突出されている。この内部光ファイバ３８のフェルール後端から突出された部分である突出部３８ａは、クランプ部３２の一対の素子３１ｃ、３２１の間に挿入されており、クランプ部３２の一対の素子３１ｃ、３２１の一方又は両方の合わせ面（ここでは、素子３１ｃの合わせ面３２４ａのみ）に形成されている調心溝３２３に収納されて精密に位置決め調心される。
【００１７】
また、クランプ部３２には、該クランプ部３２の後端部から一対の素子３１ｃ、３２１の間に挿入される光ファイバ４（ここでは、一例として単心の光ファイバ心線）の先端を調心溝３２３に導く溝３２５ａ、３２５ｂが形成されている。前記溝３２５ａ、３２５ｂは、調心溝３２３よりもクランプ部３２の後端側にずれた位置にて、クランプ部３２の一対の素子３１ｃ、３２１の一方又は両方の合わせ面に形成されている。この溝３２５ａ、３２５ｂは、クランプ部３２の後端部に開口する開口部３２５ｃを有し、この開口部３２５ｃから、フェルール３１に向かって延在するように形成されている。
この溝３２５ａ、３２５ｂのフェルール３１側の端部は、調心溝３２３と連通されている。図示例の光コネクタ３では、溝３２５ａ、３２５ｂは、素子３１ｃの合わせ面３２４ａと、素子３２１ｂの合わせ面３２４ｂの両方（図１４、図１６等参照）に形成されている。この溝３２５ａ、３２５ｂは、一対の素子３１ｃ、３２１の間で丁度対面する位置（具体的には、素子３１ｃと素子３２１ｂの丁度対面する位置）に形成されている。
【００１８】
バネ３２２の弾性に抗してクランプ部３２の一対の素子３１ｃ、３２１間を押し広げておき（例えば、介挿部材ユニット２の介挿部材２１を素子３１ｃ、３２１間に挿入した状態）、光ファイバ４の裸光ファイバ４ａが露出されている先端を、ストップリング３４の後端部の開口部３４ｃに挿入していくと、光ファイバ４を開口部３４ｃから、クランプ部３２の後端部に開口する開口部３２５ｃ（溝３２５ａ、３２５ｂの開口部）に挿入することができる。そして、光ファイバ４は、フェルール３１側への押し込みによって、クランプ部３２の後端部の開口部３２５ｃから溝３２５ａ、３２５ｂに押し込まれる。さらなる押し込みによって、光ファイバ４先端の裸光ファイバ４ａを、溝３２５ａ、３２５ｂから調心溝３２３に押し込んで、内部光ファイバ３８と突き合わせ接続することができる。内部光ファイバ３８は、調心溝３２３のフェルール３１側の端部から長手方向中央部までの範囲に収納されており、光ファイバ４先端の裸光ファイバ４ａは、調心溝３２３に挿入されることで、調心溝３２３の調心精度によって精密に位置決め調心した状態で、内部光ファイバ３８（詳細には突出部３８ａの先端）に対して突き合わせ接続させることができる。
なお、光ファイバ４は、裸光ファイバ４ａの口出し長の設定によって、裸光ファイバ４ａが調心溝３２３内で内部光ファイバ３８に突き当てられた際に、溝３２５ａ、３２５ｂのほぼ全長にわたって被覆部分が収納されるようにしておく。
【００１９】
光ファイバ４先端の裸光ファイバ４ａと内部光ファイバ３８との突き合わせ状態を保ったまま、一対の素子３１ｃ、３２１間の押し広げを解除すると（例えば、素子３１ｃ、３２１間に介挿されている介挿部材２１の素子３１ｃ、３２１間からの引き抜き）、バネ３２２の弾性によって素子３１ｃ、３２１間が閉じられ、一対の素子３１ｃ、３２１間に、内部光ファイバ３８と光ファイバ４とがクランプ固定される。これにより、光ファイバ４先端の裸光ファイバ４ａと内部光ファイバ３８との突き合わせ状態が維持される。また、光ファイバ４の被覆部分が溝３２５ａ、３２５ｂ内にクランプ固定され、クランプ部３２からの光ファイバ４の引き抜きが規制される。
溝３２５ａ、３２５ｂは、光ファイバ４の被覆部分を収納し、かつ、バネ３２２の弾性（クランプ力）によってクランプ固定するための被覆収納溝を構成する。
【００２０】
なお、光ファイバ３８（内部光ファイバ）としては、例えば石英系光ファイバが採用される。
また、光コネクタ３の後端側からクランプ部３２の素子間に挿入する光ファイバ（別の光ファイバ。一例として、単心の光ファイバ心線である上述の光ファイバ４）としては、光ファイバ心線に限定されず、例えば光ファイバ素線、光ファイバコード等も採用可能である。この別の光ファイバ（詳細には裸光ファイバ４ａ）としては、例えば石英系光ファイバが採用される。
前記調心溝は、ここではＶ溝（図４参照）であるが、例えば、Ｕ溝、丸溝（断面半円形の溝）等、各種構成が採用可能である。
【００２１】
次に、介挿部材ユニット２を、図１７、図１８を参照して説明する。
図１７、図１８に示すように、介挿部材ユニット２は、光コネクタ３のクランプ部３２の素子３１ｃ、３２１間に介挿される先端部２１ａを有する介挿部材２１と、素子３１ｃ、３２１間に割り込ませた介挿部材２１をクランプ部３２から引き抜くリング状の介挿部材駆動部２３とを備えている。
【００２２】
介挿部材２１は、光コネクタ３のクランプ部３２の一対の素子３１ｃ、３２１の間に割り込まされる楔状の先端部２１ａ（挿入先端）を有する板状本体部２１１と、この板状本体部２１１の後端部２１２から前記先端部２１ａとは逆方向に延出する係合片２１３とを具備して構成されている。
【００２３】
図１に示すように、介挿部材駆動部２３はスリーブ状に形成されている。
図１、図１７に示すように、介挿部材駆動部２３は、介挿部材２１の係合片２１３が係合される介挿部材係合部２３１と、介挿部材２１の板状本体部２１１が遊挿される介挿部材挿通孔２３２とを有する。介挿部材係合部２３１と介挿部材挿通孔２３２とは、スリーブ状の介挿部材駆動部２３の内側空間Ｓを介して、丁度、対向するところに位置する。
係合片２１３の、板状本体部２１１からの突出先端には、介挿部材係合部２３１に係合するための係合突起２１３ａが突設されている。
なお、介挿部材駆動部２３について、以下、図１７中、上下を上下、左右を左右、として説明する。
【００２４】
介挿部材２１は、介挿部材駆動部２３の左右方向中央部にて、上下方向に延在配置されている。また、介挿部材２１は、先端側が、介挿部材駆動部２３の外側に突出されている。
図１８に示すように、この介挿部材ユニット２は、スリーブ状の介挿部材駆動部２３の軸方向（図１８の左右方向）の２箇所に、介挿部材２１を有する。
以下、説明の便宜上、２つの介挿部材２１の一方に符号２１Ａ、他方に符号２１Ｂを付して、区別して説明する場合がある。
【００２５】
介挿部材付き光コネクタ３は、介挿部材２１Ａ、２１Ｂの先端部２１ａを、光コネクタ３のクランプ部３２の一対の素子３１ｃ、３２１の間に割り込ませて、介挿部材ユニット２を光コネクタ３に取り付けたものである。
２つの介挿部材２１Ａ、２１Ｂは、光コネクタ３のクランプ部３２に対する挿入位置が、二つの蓋側素子３２１ａ、３２１ｂに対応させてずらされている。すなわち、一方の介挿部材２１Ａは、先端部２１ａが素子３１ｃと素子３２１ａとの間に介挿され、他方の介挿部材２１Ｂは、先端部２１ａ素子３１ｃと素子３２１ａとの間に介挿されている。
一対の素子３１ｃ、３２１の間に割り込ませた介挿部材２１は、クランプ部３２のバネ３２２の弾性力によって、クランプ部３２に強固に保持されるので、容易には引き抜かれない。
なお、介挿部材ユニット２には、光コネクタ３に対してガタ付かないように装着状態を安定にするために、例えば、光コネクタ３を離脱可能に保持するホルダを設けることも可能である。
【００２６】
介挿部材ユニット２は、介挿部材駆動部２３に左右両側から側圧を作用させる（介挿部材ユニット２の、介挿部材２１を介して左右両側の側壁部２３ａ、２３ｂを互いに接近させるように、左右両側から押圧力を作用させる）ことで、介挿部材駆動部２３が、左右方向寸法が縮小、かつ、上下方向寸法が増大するように変形する。その結果、介挿部材２１の介挿部材駆動部２３から外側への突出寸法が減少する。
介挿部材付き光コネクタ１は、介挿部材駆動部２３を、左右両側からの側圧によって変形させることで、光コネクタ３のクランプ部３２の一対の素子３１ｃ、３２１間に介挿されている介挿部材２１を楽に引き抜くことができる。また、このとき、介挿部材駆動部２３の内、介挿部材挿通孔２３２の周囲に存在する部分が、光コネクタ３に押し当てられて、光コネクタ３を押圧するコネクタ押圧壁２３３として機能する。これにより、クランプ部３２からの介挿部材２１の引き抜きを確実に実現できる。
【００２７】
介挿部材２１を光コネクタ３のクランプ部３２から引き抜いた後、光コネクタ３から離脱させた介挿部材ユニット２は、光コネクタ３のクランプ部３２の素子３１ｃ、３２１間の開放に利用できる。
この場合、介挿部材２１Ａ、２１Ｂを、光コネクタ３の側部に開口する差込口３４ａ、３４ｂから押し込んで、クランプ部３２の素子３１ｃ、３２１間に割り込ませれば良い。
【００２８】
（光コネクタ用工具）
図１に示すように、光コネクタ用工具１００は、光コネクタ３を着脱自在に保持する光コネクタ保持部１１２を有する工具本体１１０と、この工具本体１１０に着脱される光ファイバ用治具１２０とを具備して構成されている。
【００２９】
（工具本体）
図１〜図３に示すように、工具本体１１０は、細長プレート状の本体台部１１１と、この本体台部１１１の長手方向一端部（図３左側の端部。以下、前端部とも言う）に設けられた光コネクタ保持部１１２と、本体台部１１１の長手方向他端部（図３右側の端部。以下、後端部とも言う）にて本体台部１１１上に突設された治具支持壁１１３と、本体台部１１１の前端部から後端部に向けて突設され、本体台部１１１上に配置される前記光ファイバ用治具１２０に係脱可能に係合される弾性片であるラッチ１１４とを具備した概略構成になっている。
【００３０】
図示例の工具本体１１０において、前記光コネクタ保持部１１２は、具体的には、光コネクタ３のストップリング３４が着脱可能に嵌め込まれるコネクタ嵌合溝１１２ａを有する、凹形に形成されている。ストップリング３４は、光コネクタ保持部１１２の上から、コネクタ嵌合溝１１２ａに嵌め込むことができる。
光コネクタ保持部１１２に保持する光コネクタ３は、コネクタ嵌合溝１１２ａの後端（工具本体１１０の後端部の側）に、コネクタ嵌合溝１１２ａ内に張り出すように突出されたコネクタ位置決め壁１１２ｂに、該光コネクタ３の後端（具体的には、ストップリング３４の後端。図１４中、右端）を当接させて、コネクタ嵌合溝１１２ａに嵌め込むことで、工具本体１１０（詳細には本体台部１１１）の長手方向に位置決めされて、工具本体１１０に装着される。
【００３１】
（光ファイバ用治具）
次に、光ファイバ用治具１２０を説明する。
図１に示すように、光ファイバ用治具１２０は、光コネクタ３に挿入する光ファイバ４を保持したまま工具本体１１０に装着して、光コネクタ３への光ファイバ４の挿入作業に用いることができる。
図１、図４（ａ）、（ｂ）に示すように、光ファイバ用治具１２０は、光ファイバ４を収納するファイバ収納溝１３１（図５（ａ）〜（ｃ）参照）が全長にわたって形成された棒状の治具本体１３０と、治具本体１３０の先端に設けられたファイバ押さえ部１４０と、治具本体１３０の外側に、治具本体１３０の長手方向に移動自在に装着されたスライダ１５０とを具備して構成されている。
但し、図４（ａ）、（ｂ）は、治具本体１３０から、スライダ１５０、及び、ファイバ押さえ部１４０の蓋１４２を取り外した状態を示す。
【００３２】
図５（ａ）〜（ｃ）に示すように、治具本体１３０は、底壁１３２上に、一対の側壁部１３３が立設された断面構造になっている。
ファイバ収納溝１３１は、一対の側壁部１３３の間の狭いスリット状の空間であり、溝幅（図５（ａ）〜（ｃ）左右）に比べて、治具本体１３０側面からの切り込み深さが大きい。
治具本体１３０の底壁１３２と一対の側壁部１３３とは、一対の側壁部１３３の底壁１３２からの突出寸法に比べて、幅（厚み）が小さい、全体として外観薄板状を成す、チャンネル形の光ファイバ収納体を構成する。
【００３３】
但し、図示例の光ファイバ用治具１２０において、ファイバ収納溝１３１は、具体的には、治具本体１３０の長手方向中央部から治具本体１３０の先端側がＶ溝１３１ａ（図５（ａ）参照）になっている。Ｖ溝１３１ａから後端側は、単純なスリット状（深さ方向において溝幅一定）の溝（スリット溝１３１ｂ。図５（ｂ）、（ｃ）参照）になっている。
【００３４】
ファイバ押さえ部１４０は、治具本体１３０の先端に突設されたヘッド部１４１と、このヘッド部１４１に枢着された蓋１４２（図７参照）とで構成されている。
図１等に示すように、ヘッド部１４１は、該ヘッド部１４１上に突設された一対の突壁１４１ａの間に光ファイバ４を収納するＶ溝１４１ｂが形成されてなるＶブロック部１４１ｃを有している。
蓋１４２は、具体的には、ヘッド部１４１の前端側のＶ溝ブロック部１４１ｃを構成する突壁１４１ａと、ヘッド部１４１の後端部上に突設された支持壁１４１ｄとの間に確保された空間１４１ｓ内に設けられ、突壁１４１ａ及び支持壁１４１ｄに突設されている支軸１４１ｅに枢支され、支軸１４１ｅを中心とする回転によって、ヘッド部１４１に対して開閉する。
なお、この蓋１４２は、突壁１４１ａと支持壁１４１ｄとの間に圧入されており、突壁１４１ａ及び支持壁１４１ｄとの接触摩擦により、所望位置に停止させることができる。
【００３５】
図８は、ヘッド部１４１付近を示す平面図である。
図８に示すように、ヘッド部１４１上には、治具本体１３０のファイバ収納溝１３１と連続するファイバ溝１４１ｆ（例えばＶ溝）が形成されている。
前記Ｖブロック部１４１ｃのＶ溝１４１ｂも、ファイバ溝１４１ｆの一部である。
【００３６】
図９（ｂ）に示すように、蓋１４２は、ヘッド部１４１に対して閉じたときに、ヘッド部１４１上に配置された光ファイバ４をヘッド部１４１に押さえ込む機能を果たす。
但し、ファイバ押さえ部１４０の、蓋１４２よりも前側（光ファイバ用治具１２０の先端側。図９左側）では、ヘッド部１４１上での光ファイバ４の浮き上がりが許容される。
【００３７】
治具本体１３０と、その先端側のファイバ押さえ部１４０のヘッド部１４１とは、合成樹脂で一体成形された一部品になっている。但し、ヘッド部１４１は、治具本体１３０に別部品を固定したものであっても良い。
また、ヘッド部１４１が一体に形成された治具本体１３０は、樹脂製に限定されない。但し、後述する変形開閉部の弾性変形による開閉が可能な材質を選択する必要がある。
【００３８】
図５（ｂ）、（ｃ）、図６に示すように、スライダ１５０は、前記治具本体１３０を収納する治具本体収納溝１５１が形成された凹形のブロック状に形成された部材である。
このスライダ１５０は、治具本体収納溝１５１に治具本体１３０を収納して、治具本体１３０の外側に、治具本体１３０の長手方向にスライド移動可能に装着される。
ここで、スライダ１５０は、治具本体１３０の両側壁部１３３の外面側に突設され治具本体１３０の長手方向に沿って延在する案内突条１３４を、治具本体収納溝１５１をその両側の壁部（支圧壁１５２）に拡張した部分である案内溝１５３に収納して、治具本体１３０からの脱落が防止される。また、スライダ１５０は、案内突条１３４に案内されながら、治具本体１３０に沿ってスライド移動する。
このスライダ１５０を治具本体１３０に対して着脱するには、治具本体収納溝１５１の両側の支圧壁１５２を、治具本体収納溝１５１を押し広げるように弾性変形させる。
但し、スライダ１５０は、スライダ１５０を後述の変形開閉部に外挿したときに殆ど変形せず、変形開閉部を弾性変形させることができる強度を有する。
【００３９】
スライダ１５０の治具本体１３０に沿ったスライド移動は、治具本体１３０の後端部（ファイバ押さえ部１４０とは反対の側）と、長手方向中央部とにそれぞれ突設されている突片１３５ａ、１３５ｂの間で可能である。
各突片１３５ａ、１３５ｂは、スライダ１５０を当接可能な位置に形成されており、両突片１３５ａ、１３５ｂの間の可動範囲を移動するスライダ１５０は、突片１３５ａ、１３５ｂを乗り越えることはできない。
この突片１３５ａ、１３５ｂは、使用者が手指で把持するための把持部として機能を有するものであるが、スライダ１５０の移動規制用のストッパ（スライダストッパ）としても機能する。
【００４０】
前記変形開閉部１３６は、治具本体１３０の長手方向において、２箇所の突片１３５ａ、１３５ｂの間、つまり、スライダ１５０の可動範囲内に設けられている。
前記変形開閉部１３６は、治具本体１３０の両側壁部１３３の厚みが大きく、前記側壁部１３３が外側に膨出するように形成（つまり、両側壁部１３３の外面間の距離（換言すれば、治具本体１３０の幅寸法）が増大するように形成）された膨出部である。
治具本体１３０の変形開閉部１３６における幅寸法は、スライダ１５の両支圧壁１５２間の距離（換言すれば、治具本体収納溝１５１の溝幅）よりも大きい。そして、変形開閉部１３６は、スライダ１５を、治具本体１３０の長手方向に沿ったスライド移動によって変形開閉部１３６の外側に押し込む（外嵌めする）ことで、該変形開閉部１３６の両側壁部１３３が、ファイバ収納溝１３１の溝幅を縮小するように（つまり、互いに接近するように）弾性変形される。その結果、ファイバ収納溝１３１に収納されている光ファイバ４を、しっかりと挟み込んで固定できる。
【００４１】
なお、変形開閉部１３６は、治具本体１３０の先端側の端部に、治具本体１３０の先端側から後端側に行くにしたがって、治具本体１３０の両側壁部１３３の厚みが次第に大きくなり、治具本体１３０の幅寸法が大きくなるように形成されたテーパ部１３６ａを有するため、変形開閉部１３６にスライダ１５０を外嵌めする作業を円滑に行える。
【００４２】
変形開閉部１３６に外嵌めしたスライダ１５０を、治具本体１３０に沿った移動によって、変形開閉部１３６から離脱させれば、両側壁部１３３が、スライダ１５０を外嵌めする前の状態に弾性復帰して、ファイバ収納溝１３１の溝幅が拡張され、変形開閉部１３６が開く。
つまり、変形開閉部１３６は、スライダ１５０の挿脱によって、開閉できる。
また、変形開閉部１３６の開閉によって、光ファイバ用治具１２０による光ファイバ４の固定と、固定解除とを切り替えることができる。
変形開閉部１３６が開いた状態にあるとき、ファイバ収納溝１４０に対する光ファイバ４の収納及び取り出しが可能である。
【００４３】
なお、治具本体１３０に沿った移動によって前記変形開閉部１３６から抜き出した前記スライダ１５０は、治具本体１３０の長手方向中央部にある突片１３５ａと前記変形開閉部１３６との間に確保されたスライダ待機領域１３７に設置される。
【００４４】
また、図４（ｂ）、図５（ｃ）に示すように、治具本体１３０は、変形開閉部１３６の部分が、該治具本体１３０の長手方向に沿って形成されたスリット１３８によって２分割されている。このスリット１３８は、治具本体１３０の底壁１３２を貫通して、ファイバ収納溝１４０に連通している。
このスリット１３８は、スライダ１５０の挿脱による変形開閉部１３６の変形を容易にする。
【００４５】
但し、図示例の光ファイバ用治具１２０において、スリット１３８の長手方向両端は、いずれも治具本体１３０を貫通してはいない。
図示例では、スリット１３８は、長手方向一端がスライダ待機領域１３７に達している。スリット１３８の長手方向他端は、治具本体１３０の後端側の突片１３５ｂに達しているが、突片１３５ｂを貫通してはいない。ファイバ収納溝１４０に収納される光ファイバ４は、治具本体１３０の底壁１３２の内、スリット１３８よりも治具本体１３０の先端側（ヘッド部１４１側）に位置する部分、及び、治具本体１３０の後端側の突片１３５ｂの上に載る。
【００４６】
なお、図示例では、スリット１３８の治具本体１３０の長手方向両端が、治具本体１３０の両側壁部１３３が外側に膨出するように厚く形成された部分（膨出部）の形成範囲から、治具本体１３０の長手方向両側に延び出しており、膨出部が、治具本体１３０の長手方向におけるスリット１３８の形成範囲の中央部に位置している。
【００４７】
（コネクタ取り付け作業）
この光コネクタ用工具１００を利用して、光ファイバ４の先端に光コネクタ３を取り付ける作業（コネクタ取り付け作業）の一例を説明する。
まず、光ファイバ４の先端部を、光ファイバ用治具１２０に取り付ける。
このとき、光ファイバ４を治具本体１３０のファイバ収納溝１３１に収納し（変形開閉部１３６は予め開放しておく）、次いで、スライダ１５０を操作して、変形開閉部１３６を閉じることで、光ファイバ４が光ファイバ用治具１２０にしっかりと固定される。
【００４８】
図１０は光ファイバ用治具１２０の外側にホルダ１６０を装着したホルダ付き治具１７０を示す斜視図、図１１は光ファイバ加工機器１８０のホルダ載せ台１８１にホルダ付き治具１７０を載せた状態を示す図であり、（ａ）は正面断面図、（ｂ）ホルダ載せ台１８１におけるホルダ付き治具１７０の収納状態を示す図である。
光ファイバ４の被覆除去（裸光ファイバ４ａの口出し）及び切断は、被覆除去器、切断機といった光ファイバ加工機器１８０（図１１参照）を用いて行うが、このとき、図１０に示すように、光ファイバ用治具１２０の外側に、ホルダ１６０（以下、アタッチメントホルダとも言う）を装着し、図１１に示すように、ホルダ付き治具１７０を光ファイバ加工機器１８０のホルダ載せ台１８１に載せる（本明細書では、ホルダ載せ台１８１のホルダ収納溝１８１ａに嵌め込むことを指す）ことで、光ファイバ４の位置決めを、既存のホルダの場合と同様に行うことができる。
アタッチメントホルダ１６０は、ベース１６１と、このベース１６１に枢着された開閉自在の押さえ蓋１６２とを備え、ベース１６１と押さえ蓋１６２との間に、光ファイバ用治具１２０のヘッド部１４１付近を収納して、挟み込むようにして保持する。
光ファイバ加工機器１８０のホルダ載せ台１８１を変更する必要が無いことは言うまでも無い。
なお、図１１において、符号１８２は、光ファイバ加工機器１８０の加工用工具（例えば、被覆除去器の被覆除去用のカッタ、切断機のカッタ）を示す。
ホルダ載せ台は、本発明に係る治具載せ台としての機能を果たす。
【００４９】
また、光ファイバ４の被覆除去（裸光ファイバ４ａの口出し）、切断等の作業（加工）は、例えば、図１１（ｃ）、（ｄ）に示すように、アタッチメントホルダ１６０を使用することなく、光ファイバ用治具１２０のヘッド部１４１に形成されている位置決め凹所１４１ｇ（図示例では位置決め溝）を、ホルダ載せ台１８１の、加工用工具１８２に近い側の前端部１８３に設けられている位置決め突起１８４に挿入することで、光ファイバ用治具１２０を位置決めして、行うことも可能である。
これにより、光ファイバ４の、光ファイバ用治具１２０先端からの突出長、被覆除去長の調整を行えるようにする。
例えば、光ファイバ４が、φ０．５ｍｍの光ファイバ心線の場合に、図１１（ａ）、（ｂ）に比べて、光ファイバ用治具１２０先端からの突出長、被覆除去長を長く確保できる、図１１（ｃ）、（ｄ）の位置決めを行う。
【００５０】
光ファイバ４の被覆除去、切断が完了したら、光ファイバ用治具１２０を、光ファイバ４を固定したまま、光ファイバ用工具１００の工具本体１１０に装着する。
光ファイバ用治具１２０は、治具本体１３０を、ファイバ収納溝１３１が開口されている側面が上になる向きで、工具本体１１０の治具支持壁１１３に形成されている治具本体収納溝１１３ａに挿入することで、治具支持壁１１３によって、工具本体１１０の長手方向に移動可能に支持される。
【００５１】
ここで、図３に示すように、光ファイバ用治具１２０先端から突出する光ファイバ４の先端部を、工具本体１１０の本体台部１１１の上面１１１ａに形成されている曲がりチェック用表示１１５に位置合わせすることで、光ファイバ４先端の曲がりが作業可能範囲にあるかどうかを確認できる。
また、前記上面１１１ａにおいて、曲がりチェック用表示１１５の横に付設されている突出長チェック表示１１６ａ、１１６ｂを利用して、光ファイバ用治具１２０先端から突出する光ファイバ４の突出長が、適正になっているかどうかを確認できる。
突出長の確認は、前記治具本体１３０先端から両側（左右）に張り出すプレート状に形成されているヘッド部１４１の後端面１４１ｈを、治具支持壁１１３に、工具本体１１０の前端側（光コネクタ保持部１１２の側）から押し当てて、光ファイバ４の先端位置を、突出長チェック表示１１６ａ、１１６ｂと対比する。
なお、治具支持壁１１３からの距離が異なる２箇所に設けられている突出長チェック表示１１６ａ、１１６ｂは、例えば、治具支持壁１１３から遠い方の突出長チェック表示１１６ａをφ０．５光ファイバ心線用、治具支持壁１１３から近い方の突出長チェック表示１１６ｂをφ０．２５光ファイバ心線用というように、要求突出長に応じた使い分けを可能にする。
治具支持壁１１３は、前記ヘッド部１４１の後端面を押し当てて光ファイバ用治具１２０を位置決めするための確認用治具当接部として機能する。
【００５２】
光ファイバ用治具１２０を治具支持壁１１３を案内として、光コネクタ保持部１１２に向けて移動して、光ファイバ用治具１２０先端から突出する光ファイバ４の先端を、光コネクタ保持部１１２に予め保持しておいた光コネクタ３（介挿部材付き光コネクタ１）の後端から、光コネクタ３内に挿入していけば、光ファイバ４の先端がクランプ部３２の調心溝３２３に挿入されていき、内部光ファイバ３８に突き合わせ接続される。
ここで、光ファイバ用治具１２０は、ヘッド部１４１の後端面１４１ｈにラッチ１１４が係脱可能に係合することで、後述のように、該光ファイバ用治具１２０先端から突出する光ファイバ４に、光コネクタ３の内部光ファイバ３８に対する突き合わせ力発生用の撓みを形成できる位置に引き留める。
ラッチ１１４は、具体的には、本体台部１１１の前端部から後端部に向けて突設されて本体台部１１１上に配置された細長の弾性片であるラッチ本体１１４ａの前記本体台部１１１の前端部からの突出先端の側部に、前記ヘッド部１４１の後端面１４１ｈに係合される係止突片１１４ｂが突設された構造であり、ラッチ本体１１４ａの弾性変形によって、ヘッド部１４１に対して係止突片１１４ｂを係脱させることができる。なお、ラッチ本体１１４ａは、光コネクタ３への光ファイバ４の挿入作業の支障とならないように、光コネクタ３に接近させた光ファイバ用治具１２０のヘッド部１４１と干渉しない所に設けられている。
光ファイバ用治具１２０先端からの光ファイバ４の突出長は、ヘッド部１４１にラッチ１１４を係合したときに、内部光ファイバ３８に対する光ファイバ４（詳細には裸光ファイバ４ａ）の突き合わせ力を確保できる撓みが光ファイバ４に形成されるように設定する。
光ファイバ４の撓みは、光ファイバ４をヘッド部１４１に押さえ込んだ蓋１４２と、光コネクタ３との間に形成される。
【００５３】
但し、光ファイバ４の撓みは、光ファイバ４の光特性を維持できる範囲である必要がある。
発明者の検討の結果、光ファイバ用治具１２０を、φ０．５ｍｍ光ファイバ心線、及び、φ０．２５ｍｍ光ファイバ心線の両方に適用する場合の、光ファイバ４の適正な突出長の確保に鑑みて、蓋１４２から光ファイバ４の先端までの長さを３８〜４０ｍｍとすることが、突き合わせ力の確保と、光ファイバ４の光特性維持の両条件を満たせる最適範囲であることが判明した。
【００５４】
光ファイバ用治具１２０をラッチ１１４の係合によって引き留めた状態を維持したまま（光ファイバ４は、光コネクタ３内で、内部光ファイバ３８との突き合わせ状態を保っている）、介挿部材付き光コネクタ１の介挿部材ユニット２の介挿部材駆動部２３を手指で握るなどして、介挿部材駆動部２３に左右両側から側圧を作用させ、光コネクタ３のクランプ部３２から介挿部材２１を抜き出せば、バネ３２２の弾性によってクランプ部の一対の素子３１ｃ、３２１の間に光ファイバ４、３８が突き合わせ状態のまま挟み込まれ、突き合わせ接続状態が維持される。
これにより、光ファイバ４の先端への光コネクタ３の取り付けが完了する。
【００５５】
光コネクタ３の取り付け作業の完了後、光ファイバ用治具１２０は、ラッチ１１４を操作してヘッド部１４１との係合を解除することで、工具本体１１０から離脱させることができる。
また、光ファイバ用治具１２０のスライダ１５０を操作して変形開閉部１３６からスライダ待機位置に移動させることで、治具本体１３０のファイバ収納溝１３１から光ファイバ４を取り出せる。
【００５６】
この光コネクタ用工具１００によれば、スライダ１５０の治具本体１３０の長手方向に沿ったスライド操作によって開閉する変形開閉部１３６にて、治具本体１３０のファイバ収納溝１３１に収納された光ファイバ４を固定する構造の光ファイバ用治具１２０を採用している。
変形開閉部１３６をスライダ１５０の外嵌めによって閉じれば、スライダ１５０は、意図的にスライド操作しない限り、変形開閉部１３６から離脱しにくいため、作業中の作業員が手指で不用意に触れたり、落下させたりしても、変形開閉部１３６が変形開閉部１３６から離脱して、変形開閉部１３６が開放されてしまう、といった不都合は生じにくく、変形開閉部１３６が閉じた状態、すなわち、光ファイバ４を一対の側壁部１３３の間で挟み込んで固定した状態を安定に維持することができる。
このため、光ファイバ用治具１２０及び光コネクタ用工具１００の取り扱いに、特別な注意を払う必要が無くなり、光ファイバ４の先端に光コネクタ３を取り付ける作業の作業効率を大幅に向上できる。
【００５７】
また、光ファイバ用治具１２０は、構成が単純であり、従来構造のファイバホルダに比べて、小型、軽量に形成できる。
軽量化によって、例えば、光ファイバ４に固定した光ファイバ用治具１２０を作業中に落としても、光ファイバ４を、過度な曲げを与えるなどして傷めてしまうといった不都合が生じる可能性を低減できる。
また、光コネクタ用工具１００全体についても、小型化、軽量化を容易に実現できる。
【図面の簡単な説明】
【００５８】
【図１】本発明に係る光コネクタ用工具を示す全体斜視図である。
【図２】光コネクタ用工具の工具本体を示す図であって、（ａ）は光コネクタ保持部側から見た斜視図、（ｂ）は治具支持壁側から見た斜視図である。
【図３】前記工具本体を示す平面図、
【図４】光コネクタ用工具の光ファイバ用治具を示す図であって、（ａ）は上側から見た斜視図、（ｂ）は下側から見た斜視図である。
【図５】光ファイバ用治具の治具本体の断面構造を示す図であって、（ａ）は図４（ａ）のＡ−Ａ線断面矢視図（ファイバ収納溝としてＶ溝が形成されている部分）、（ｂ）は図４（ａ）のＢ−Ｂ線断面矢視図（ファイバ収納溝としてスリット溝が形成されている部分）、（ｃ）は図４（ａ）のＣ−Ｃ線断面矢視図（変形開閉部）を示す。
【図６】光ファイバ用治具のスライダを示す斜視図である。
【図７】光ファイバ用治具の蓋を示す斜視図である。
【図８】光ファイバ用治具のヘッド部付近を示す平面図である。
【図９】本発明に係る光コネクタ用工具を用いて、光ファイバの先端に光コネクタを取り付ける作業を説明する図であって、（ａ）は曲がりチェック用表示、突出長チェック用表示を利用して、光ファイバの曲がり、突出長の確認を行う場合の工具本体に対する光ファイバ用治具の位置、（ｂ）は光ファイバ用治具に固定した光ファイバを光コネクタに挿入した状態、を示す。
【図１０】光ファイバ用治具の外側にアタッチメントホルダを装着したホルダ付き治具を示す斜視図である。
【図１１】光ファイバ加工機器のホルダ載せ台に光ファイバ用治具を載せた状態を示す図であって、（ａ）はホルダ付き治具を載せた状態を示す正断面図、（ｂ）はホルダ付き治具のホルダ収納溝における収納状態を示す図、（ｃ）は光ファイバ用治具を直接、ホルダ載せ台に載せた状態を示す図、（ｄ）は（ｃ）の状態における光ファイバ用治具のヘッド部付近を示す拡大平面図である。
【図１２】光コネクタ用工具に適用可能な光コネクタの一例を示す全体斜視図である。
【図１３】光コネクタ用工具に適用可能な光コネクタの一例を示す分解斜視図である。
【図１４】光コネクタ用工具に適用可能な光コネクタの一例を示す断面図である。
【図１５】光コネクタに内蔵されているクランプ部付きフェルールを示す斜視図である。
【図１６】図１５のクランプ部付きフェルールのクランプ部の素子を示す図である。
【図１７】介挿部材付き光コネクタを示す断面図である。
【図１８】図１７の介挿部材付き光コネクタの介挿部材ユニットの構造を示す断面図である。
【符号の説明】
【００５９】
１…介挿部材付き光コネクタ、３…光コネクタ、４…光ファイバ、４ａ…裸光ファイバ、３１…フェルール、３８…内部光ファイバ、１００…光コネクタ用工具、１１０…工具本体、１１１ａ…上面、１１２…光コネクタ保持部、１１３…治具支持壁（確認用治具当接部）、１１３ａ…治具本体収納溝、１１４…治具保持手段、ラッチ、１１６…確認用表示（突出長チェック用表示）、１２０…光ファイバ用治具、１３０…治具本体、１３１…ファイバ収納溝、１３３…側壁部、１３５ａ、１３５ｂ…スライダストッパ（突片）、１３６…変形開閉部、１３６ａ…テーパ部、１３８…スリット、１４０…ファイバ押さえ部、１４１…ヘッド部、１４１ｇ…位置決め凹所、１４２…蓋、１５０…スライダ、１８０…光ファイバ加工機器、１８１…治具載せ台（ホルダ載せ台）、１８４…位置決め突起。
【図１】
2007156331.tif 000003
【図２】
2007156331.tif 000004
【図３】
2007156331.tif 000005
【図４】
2007156331.tif 000006
【図５】
2007156331.tif 000007
【図６】
2007156331.tif 000008
【図７】
2007156331.tif 000009
【図８】
2007156331.tif 000010
【図９】
2007156331.tif 000011
【図１０】
2007156331.tif 000012
【図１１】
2007156331.tif 000013
【図１２】
2007156331.tif 000014
【図１３】
2007156331.tif 000015
【図１４】
2007156331.tif 000016
【図１５】
2007156331.tif 000017
【図１６】
2007156331.tif 000018
【図１７】
2007156331.tif 000019
【図１８】
2007156331.tif 000020